【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
ベース部と、該ベース部に対して移動可能な可動部と、該可動部に駆動力を伝達させる駆動伝達手段と、を備える遊技機であって、
前記可動部には電気部品が搭載され、
前記駆動伝達手段は、
前記可動部を駆動する駆動モータと、
前記可動部のそれぞれ異なる位置に連結されて該可動部を基準位置と該基準位置よりも上方の上方位置との間で変位させる複数の動力伝達ギヤと、
前記動力伝達ギヤに噛合し、該動力伝達ギヤに前記駆動モータの回動力を伝達する複数のギヤと、を備え、
前記複数のギヤは、第１ギヤ及び該第１ギヤと同心をなすとともに該第１ギヤよりも径が小さい第２ギヤを含み、
前記第２ギヤは、前記複数の動力伝達ギヤそれぞれに対応して複数設けられ、
前記第１ギヤ及び複数の前記第２ギヤは、同一の軸部材に固着され、
前記第１ギヤ及び複数の前記第２ギヤは、前記駆動モータの回動力が前記第１ギヤから複数の前記第２ギヤを介して前記複数の動力伝達ギヤに伝達されるように配設されている
ことを特徴とする遊技機。
【手続補正２】
【補正対象書類名】明細書
【補正対象項目名】０００１
【補正方法】変更
【補正の内容】
【０００１】
本発明は、ベース部と、該ベース部に対して移動可能な可動部と、該可動部に駆動力を伝達させる駆動伝達手段と、を備える遊技機に関する。
【手続補正３】
【補正対象書類名】明細書
【補正対象項目名】０００７
【補正方法】変更
【補正の内容】
【０００７】
前記課題を解決するために、本発明の請求項１に記載の遊技機は、
ベース部（４０１）と、該ベース部に対して移動可能な可動部（４０２）と、該可動部に駆動力を伝達させる駆動伝達手段（駆動伝達機構４０３）と、を備える遊技機（パチンコ遊技機１）であって、
前記可動部には電気部品が搭載され、
前記駆動伝達手段は、
前記可動部を駆動する駆動モータ（昇降モータ４１０）と、
前記可動部のそれぞれ異なる位置に連結されて該可動部を基準位置（下方位置）と該基準位置よりも上方の上方位置との間で変位（昇降）させる複数の動力伝達ギヤ（ラックギヤ４３５ａ，４３５ｂ）と、
前記動力伝達ギヤに噛合し、該動力伝達ギヤに前記駆動モータの回動力を伝達する複数のギヤ（駆動ギヤ４３０、第１従動ギヤ４３１、第２従動ギヤ４３２ａ，４３２ｂ）と、を備え、
前記複数のギヤは、第１ギヤ（第１従動ギヤ４３１）及び該第１ギヤと同心をなすとともに該第１ギヤよりも径が小さい第２ギヤ（第２従動ギヤ４３２ａ，４３２ｂ）を含み｛ｒ１＜ｒ２、（図１０、図１５参照）｝、
前記第２ギヤ（第２従動ギヤ４３２ａ，４３２ｂ）は、前記複数の動力伝達ギヤそれぞれに対応して複数設けられ（図１０参照）、
前記第１ギヤ（第１従動ギヤ４３１）及び複数の前記第２ギヤ（第２従動ギヤ４３２ａ，４３２ｂ）は、同一の軸部材（シャフト４３３）に固着され、
前記第１ギヤ及び複数の前記第２ギヤは、前記駆動モータの回動力が前記第１ギヤから複数の前記第２ギヤを介して前記複数の動力伝達ギヤに伝達されるように配設されている（図１０参照）
ことを特徴としている。
この特徴によれば、可動部の荷重が作用する第２ギヤの径が第１ギヤよりも小さいことで、第２ギヤの方が第１ギヤよりも回転させるのに大きな力が必要となるとともに、可動部を上方位置にて停止させる場合、可動部の荷重により第２ギヤに作用するモーメントの少なくとも一部を該第２ギヤよりも径が大きい第１ギヤにて受けることができる、つまり第２ギヤよりも小さな力で第１ギヤの回転を止めることができるため、駆動モータの駆動力を利用することなく、簡単な構成で可動部を上方位置から落下させにくくすることができる。
本発明の手段１の遊技機は、
ベース部（４０１）と、該ベース部に対して移動可能な可動部（４０２）と、該可動部に駆動力を伝達させる駆動伝達手段（駆動伝達機構４０３）と、を有する演出装置（演出装置４００）を備える遊技機（パチンコ遊技機１）であって、
前記駆動伝達手段は、
前記可動部を駆動する駆動モータ（昇降モータ４１０）と、
前記可動部に連結されて該可動部を所定の基準位置（下方位置）と該基準位置よりも上方の上方位置との間で変位（昇降）させる動力伝達ギヤ（ラックギヤ４３５ａ，４３５ｂ／ギヤ４９０）と、
前記動力伝達ギヤに噛合し、該動力伝達ギヤに前記駆動モータの回動力を伝達する複数のギヤ（駆動ギヤ４３０、第１従動ギヤ４３１、第２従動ギヤ４３２ａ，４３２ｂ）と、を備え、
前記複数のギヤは、第１ギヤ（第１従動ギヤ４３１）及び該第１ギヤと同心をなすように該第１ギヤと一体化されるとともに該第１ギヤよりも径が小さい第２ギヤ（第２従動ギヤ４３２ａ，４３２ｂ）を含み｛ｒ１＜ｒ２、（図１０、図１５参照）｝、
前記第１ギヤ及び前記第２ギヤは、前記駆動モータの回動力が前記第１ギヤから前記第２ギヤを介して前記動力伝達ギヤに伝達されるように配設されている（図１０参照）
ことを特徴としている。
この特徴によれば、可動部の荷重が作用する第２ギヤの径が第１ギヤよりも小さいことで、第２ギヤの方が第１ギヤよりも回転させるのに大きな力が必要となるとともに、可動部を上方位置にて停止させる場合、可動部の荷重により第２ギヤに作用するモーメントの少なくとも一部を該第２ギヤよりも径が大きい第１ギヤにて受けることができる、つまり第２ギヤよりも小さな力で第１ギヤの回転を止めることができるため、駆動モータの駆動力を利用することなく、簡単な構成で可動部を上方位置から落下させにくくすることができる。
【手続補正４】
【補正対象書類名】明細書
【補正対象項目名】０００８
【補正方法】変更
【補正の内容】
【０００８】
本発明の手段２の遊技機は、請求項１または手段１に記載の遊技機であって、
前記動力伝達ギヤ（ラックギヤ４３５ａ，４３５ｂ）は前記可動部（４０２）の複数箇所（昇降板４４０の背面左右位置）に設けられ、
前記第２ギヤ（第２従動ギヤ４３２ａ，４３２ｂ）は、複数の前記動力伝達ギヤそれぞれに対応して複数設けられている（図１０参照）
ことを特徴としている。
この特徴によれば、可動部の荷重を複数箇所にて支持できるので、可動部を上方位置にて安定して停止させることができる。
【手続補正５】
【補正対象書類名】明細書
【補正対象項目名】０００９
【補正方法】変更
【補正の内容】
【０００９】
本発明の手段３の遊技機は、請求項１、手段１、手段２のいずれかに記載の遊技機であって、
前記第１ギヤ（第１従動ギヤ４３１）及び複数の前記第２ギヤ（第２従動ギヤ４３２ａ，４３２ｂ）は、前記ベース部（４０１）に回動可能に設けられた同一の軸部材（シャフト４３３）に固着され一体化されている（図１０参照）
ことを特徴としている。
この特徴によれば、同心をなす全てのギヤを一つの軸部材により一体化できるため、構造を簡素化できる。
【手続補正６】
【補正対象書類名】明細書
【補正対象項目名】００１０
【補正方法】変更
【補正の内容】
【００１０】
本発明の手段４の遊技機は、請求項１、手段１〜３のいずれかに記載の遊技機であって、
前記駆動モータ（昇降モータ４１０）の駆動制御を行う駆動制御手段（演出制御基板８０に設けられた演出制御用マイクロコンピュータ）を備え、
前記駆動制御手段は、前記可動部（４０１）が前記上方位置に位置したときに、該駆動モータの駆動を停止させる
ことを特徴としている。
この特徴によれば、駆動モータの省電力化を図ることが可能となる。
【手続補正７】
【補正対象書類名】明細書
【補正対象項目名】００１１
【補正方法】変更
【補正の内容】
【００１１】
本発明の手段５の遊技機は、請求項１、手段１〜４のいずれかに記載の遊技機であって、
前記可動部（４０１）に搭載された電気部品（例えば、昇降モータ４１０、ドラムモータ４４５、ドラムＬＥＤ、昇降センサ４２０等）に接続され、前記可動部に設けられた可動側配線保持部（基板側コネクタＣＮＫ１）と前記ベース部に設けられたベース側配線保持部（基板側コネクタＣＮＫ２）との間に掛け渡された可撓性を有する配線（ケーブルＣ）と、
前記配線の前記可動側配線保持部と前記ベース側配線保持部との間に掛け渡された可撓性を有する箇所を係止し、かつ、前記ベース部に対し移動可能に設けられた移動係止部（係止フック４８１ｃ）と、を備え、
前記可動部は、前記ベース側配線保持部に近い前記基準位置または前記上方位置のうち一方の第１位置（下方位置）と該第１位置よりも該ベース側配線保持部から遠い前記基準位置または前記上方位置のうち他方の第２位置（上方位置）との間を少なくとも移動し、
前記可動部が少なくとも前記第２位置から前記第１位置に移動するときに、前記移動係止部を前記ベース側配線保持部及び前記可動側配線保持部双方から離れる方向（右方向）に移動させ、前記第１位置から前記第２位置に移動するときに、前記移動係止部を前記ベース側配線保持部及び前記可動側配線保持部双方に近づく方向（左方向）に移動させる係止部移動手段（リンク部材４８０）を備える（図１６参照）
ことを特徴としている。
この特徴によれば、可動部が第２位置から移動して少なくとも第１位置に到達したときには、可動側配線保持部とベース側配線保持部とが近づくことによりその間に掛け渡された配線に余りが生じるが、移動係止部がベース側配線保持部及び可動側配線保持部双方から離れる方向に移動することで、余った配線の所定箇所が常に可動側配線保持部及びベース側配線保持部から引き離されるため、可動部とベース部との間に余った配線が挟まれたり屈曲や捩れが生じたりすることによる断線が防止される。また、互いに近づく可動側配線保持部及びベース側配線保持部とこれらから離れる移動係止部との３点に配線が掛け渡されるため、配線をコンパクトに折り畳みながら引き離すことができる。